(57)【要約】  ナット圧入部（８）は、底面（１２）と、内周壁面（１４）と、圧入リブ（１０）と、接触部（１１）と、を備えている。底面（１２）は、圧入方向に対向する。内周壁面（１４）は、圧入方向と略平行である。圧入リブ（１０）は、内周壁面（１４）から突出し、かつ圧入方向に沿って細長く形成され、圧入されたナット（７）の周面に接触する。接触部（１１）は、底面（１２）よりも上に配置され、圧入されたナット（７）に対して下側から接触する。そして、内周壁面（１４）から突出する方向に圧入リブ（１０）を仮想的に延長して得られる領域である削りカス飛出領域（２１）に干渉せず、かつ当該削りカス飛出領域（２１）に対して圧入方向で重ならないように、接触部（１１）が配置されている。
2015146096.tif 000002
【特許請求の範囲】
【請求項１】
ナットが圧入方向で圧入されるナット圧入部を有するベース体であって、
当該ナット圧入部は、
前記圧入方向に対向する底面と、
前記圧入方向と略平行な内周壁面と、
前記内周壁面から突出し、かつ前記圧入方向に沿って細長く形成され、圧入された前記ナットの周面に接触する圧入リブと、
前記底面よりも前記圧入方向上流側に配置され、圧入された前記ナットに対して圧入方向下流側から接触する接触部と、
を備え、
前記圧入リブを当該圧入リブに対向する内周壁面まで前記突出する方向に沿って仮想的に移動させたときに当該圧入リブが描く軌跡に対して、前記圧入方向で重なる位置には、前記接触部が配置されていないことを特徴とするベース体。
【請求項２】
請求項１に記載のベース体であって、
前記ナット圧入部の内周形状は、前記ナットの外周形状に合わせて多角形状に形成されており、
当該多角形の辺の中央部近傍に前記圧入リブが形成され、
当該多角形の隅の近傍に前記接触部が配置されていることを特徴とするベース体。
【請求項３】
請求項２に記載のベース体であって、
前記接触部は、少なくとも前記多角形の各隅の近傍に配置されていることを特徴とするベース体。
【請求項４】
ナットが圧入方向で圧入されるナット圧入部を有するベース体であって、
当該ナット圧入部は、
前記圧入方向に対向する底面と、
前記圧入方向と略平行な内周壁面と、
前記内周壁面から突出し、かつ前記圧入方向に沿って細長く形成され、圧入された前記ナットの周面に接触する圧入リブと、
前記底面よりも前記圧入方向上流側に配置され、圧入された前記ナットに対して圧入方向下流側から接触する接触部と、
を備え、
前記ナット圧入部の内周形状は、前記ナットの外周形状に合わせて多角形状に形成されており、
当該多角形の各辺の中央部近傍に前記圧入リブが形成され、
当該多角形の隅のうち少なくとも２つの隅の近傍に前記接触部が互いに独立して配置されていることを特徴とするベース体。
【請求項５】
請求項１又は４に記載のベース体であって、
前記圧入方向において、前記接触部から前記底面までの距離は、前記圧入リブの上流側端部から前記接触部までの距離よりも長いことを特徴とするベース体。
【請求項６】
請求項１又は４に記載のベース体であって、
前記圧入リブは、前記圧入方向で連続的に形成されており、
前記圧入リブの前記圧入方向下流側の端部は、前記底面に接続していることを特徴とするベース体。
【請求項７】
請求項１又は４に記載のベース体を備えたことを特徴とする電気接続箱。
【請求項８】
請求項１又は４に記載のベース体を備えたことを特徴とする端子台。
【発明の詳細な説明】
【技術分野】
【０００１】
本発明は、主として、ナットを圧入するために樹脂製のベース体に形成されるナット圧入部の構成に関する。
【背景技術】
【０００２】
合成樹脂製のベース体に金属製のナットを圧入して固定することがある。このような構成は、例えば特許文献１に記載されている。【０００３】
特許文献１は、合成樹脂製の電気接続箱本体に、接続用ナットが圧入されるナット収容部が形成された構成を開示している。このナット収容部には、寸法誤差等を吸収するための圧入リブが形成されている。【０００４】
特許文献１は、ナット収容部に接続用ナットを圧入したときに、前記圧入リブが擦られて削れ、樹脂屑（削りカス）が発生する問題を指摘している。これに関し、特許文献１は、ナット収容部の底面において樹脂屑収容凹所を形成した構成を開示している。特許文献１は、ナットの圧入の際に生じる樹脂屑を樹脂屑収容凹所に収容できるので、ナット収容部の底面とナットとの間に樹脂屑が挟まって、ナットがナット収容部から浮き上がったり傾斜したりする等の不具合を防止できる、としている。
【先行技術文献】
【特許文献】
【０００５】
【特許文献１】特開２０１１−２３９６００号公報
【発明の概要】
【発明が解決しようとする課題】
【０００６】
圧入リブが削られることにより発生する樹脂屑は、いわゆるカンナ屑のように、細長い帯状の形状を呈する場合がある。ところが、特許文献１の樹脂屑収容凹所は、圧入リブのまわりにのみ形成されているので、細長い帯状の樹脂屑を収容するのに適した形状とは言いがたい。このため、細長い帯状の樹脂屑が発生した場合は、当該樹脂屑が樹脂屑収容凹所からハミ出してしまうことがあると考えられる。【０００７】
本発明は以上の事情に鑑みてされたものであり、その主要な目的は、圧入リブの削りカスが、ナットと底面の間に挟まれることを確実に防止できる構成を提供することにある。
【課題を解決するための手段及び効果】
【０００８】
本発明の解決しようとする課題は以上の如くであり、次にこの課題を解決するための手段とその効果を説明する。
【０００９】
本願発明の第１の観点によれば、ナットが圧入方向で圧入されるナット圧入部を有するベース体が以下のとおり提供される。即ち、前記ナット圧入部は、底面と、内周壁面と、圧入リブと、接触部と、を備える。前記底面は、前記圧入方向に対向する。前記内周壁面は、前記圧入方向と略平行である。前記圧入リブは、前記内周壁面から突出し、かつ前記圧入方向に沿って細長く形成され、圧入された前記ナットの周面に接触する。前記接触部は、前記底面よりも前記圧入方向上流側に配置され、圧入された前記ナットに対して圧入方向下流側から接触する。そして、前記圧入リブを当該圧入リブに対向する内周壁面まで前記突出する方向に沿って仮想的に移動させたときに当該圧入リブが描く軌跡に対して、前記圧入方向で重なる位置には、前記接触部が配置されていない。
【００１０】
即ち、圧入リブが削れて発生する削りカスは、圧入リブの突出方向に向けて飛び出すように発生し易い。そこで、この領域には接触部を配置しないようにすることで、当該接触部とナットとの間に削りカスが挟まれてしまうことを防止できる。
【００１１】
上記のベース体は、以下のように構成されることが好ましい。即ち、前記ナット圧入部の内周形状は、前記ナットの外周形状に合わせて多角形状に形成されている。当該多角形の辺の中央部近傍に前記圧入リブが形成されている。そして、当該多角形の隅の近傍に前記接触部が配置されている。
【００１２】
接触部を隅部の近傍に配置することにより、圧入されたナットの隅部を下から支えることができるので、当該ナットを安定して支えることができる。
【００１３】
上記のベース体において、前記接触部は、少なくとも前記多角形の各隅の近傍に配置されていることが好ましい。
【００１４】
このように、接触部を各隅に配置することで、ナットの各隅を下から支えることができる。これにより、ナットを安定して支えることができる。
【００１５】
本願発明の第２の観点によれば、ナットが圧入方向で圧入されるナット圧入部を有するベース体が以下のとおり提供される。即ち、当該ナット圧入部は、底面と、内周壁面と、圧入リブと、接触部と、を備える。前記底面は、前記圧入方向に対向する。前記内周壁面は、前記圧入方向と略平行である。前記圧入リブは、前記内周壁面から突出し、かつ前記圧入方向に沿って細長く形成され、圧入された前記ナットの周面に接触する。前記接触部は、前記底面よりも前記圧入方向上流側に配置され、圧入された前記ナットに対して圧入方向下流側から接触する。前記ナット圧入部の内周形状は、前記ナットの外周形状に合わせて多角形状に形成されている。そして、当該多角形の各辺の中央部近傍に前記圧入リブが形成され、前記多角形の隅のうち少なくとも２つの隅の近傍に前記接触部が互いに独立して配置されている。
【００１６】
このように構成すれば、圧入リブの周囲を避けて接触部を配置できる。これにより、圧入リブが削れて発生する削りカスが、接触部とナットとの間に挟まれてしまうことを防止できる。また、接触部を上記のように配置したので、ナットの少なくとも２つの隅に対して接触部が下から接触できる。これにより、当該ナットを安定して支えることができる。
【００１７】
上記のベース体は、以下のように構成されることが好ましい。即ち、前記圧入方向において、前記接触部から前記底面までの距離は、前記圧入リブの上流側端部から前記接触部までの距離よりも長い。
【００１８】
これによれば、圧入リブが削れて発生した削りカスが帯状になって垂れ下がったとしても、当該削りカスの先端が底面に接触することがない。
【００１９】
上記のベース体は、以下のように構成されることが好ましい。即ち、前記圧入リブは、前記圧入方向で連続的に形成されている。そして、前記圧入リブの前記圧入方向下流側の端部は、前記底面に接続している。
【００２０】
このように、圧入リブを底面まで連続的に形成することにより、削りカスが途中で千切れて圧入リブから分離してしまうことを防止できる。また、圧入リブを底面に接続することで、当該圧入リブの強度を確保できる。
【００２１】
本願発明の別の観点によれば、上記のベース体を備える電気接続箱が提供される。
【００２２】
この電気接続箱は、ベース体に対してナットを確実に固定できる。従って、電気接続箱の信頼性を高めることができる。
【００２３】
本願発明の更に別の観点によれば、上記のベース体を備える端子台が提供される。
【００２４】
この端子台は、ベース体に対してナットを確実に固定できる。従って、端子台の信頼性を高めることができる。
【図面の簡単な説明】
【００２５】
【図１】本発明の一実施形態に係るベース体に対してプレート等を取り付ける様子を示す斜視図。
【図２】ナット圧入部を拡大して示す斜視図。
【図３】ナット圧入部の平面図。
【図４】削りカス飛出領域を示す平面図。
【図５】ナット圧入部の側面断面図。
【図６】ナット圧入部に対してナットを途中まで圧入した様子を示す側面断面図。
【図７】ナット圧入部に対してナットを最後まで圧入した様子を示す側面断面図。
【図８】ベース体に対してプレートを取り付けた様子を示す側面断面図。
【図９】ナット圧入部の変形例を示す側面断面図。
【発明を実施するための形態】
【００２６】
次に、図面を参照して本発明の実施の形態を説明する。
【００２７】
本実施形態の電気接続箱１は、ベース体３と、プレート２と、を備えている。図１に示すのは、本発明の一実施形態に係るベース体３に対するプレート２の取付け構造を示す斜視図である。また、電気接続箱１は、ベース体３の上方を覆うアッパーケースと、ベース体３の下方を覆うロアーケースと、を備えている場合がある。なお、電気接続箱の構成は公知であるから、アッパーケース及びロアーケースの図示は省略する。
【００２８】
ベース体３は、合成樹脂から構成され、略ブロック状を呈している。なお、図１等に示すのは、ベース体３の一部である。ベース体３は、プレート２が取り付けられる取付面４を有している。本実施形態において、プレート２は金属製の接続プレートである。ただし、プレート２は、ベース体３に取り付けられる板状のものであれば良く、その素材及び機能は特に限定されない。例えば、プレート２は、端子、回路基板、バスバー、又はステーなどでも有り得る。
【００２９】
プレート２には、金属製のボルト５を挿通させる挿通孔６が形成されている。一方、ベース体３の取付面４には、金属製のナット７を装着するナット圧入部８が形成されている。ナット圧入部８は、ナット７を圧入して固定できるように構成されている。
【００３０】
以下の説明では、ナット圧入部８に対してナット７を圧入する方向（図５に白抜きの矢印で示す方向）を、「圧入方向」と呼ぶ。なお、以下の説明において、圧入方向が下向きであると考えて、当該圧入方向の下流側（図５の下側）を、単に「下」と呼び、圧入方向の上流側（図５の上側）を、単に「上」と呼ぶ。ただしこれは、説明を分かり易くするための便宜上の呼称であり、圧入方向を下向きに限定するものではない。
【００３１】
ベース体３にプレート２を取り付ける際には、予め、ナット圧入部８内にナット７を圧入しておく。そして、プレート２の挿通孔６にボルト５を挿通させるとともに、当該ボルト５を前記ナット７に螺入させる。これにより、ベース体３の取付面４にプレート２が固定される。取付面４にプレート２が固定された様子を、図８の断面図に示す。
【００３２】
続いて、ナット圧入部８の構成について詳しく説明する。
【００３３】
図２、図３及び図５に示すように、ナット圧入部８は、内周壁面１４と、底面１２と、圧入リブ１０と、接触部１１と、を備えている。なお、ナット圧入部８は、合成樹脂製のベース体３に一体的に形成されているので、ナット圧入部８の各構成は合成樹脂によって構成されている。
【００３４】
ナット圧入部８は、取付面４において圧入方向に凹むように形成された凹部として構成されている。底面１２は、圧入方向に対向して設けられており、ナット圧入部８の底を構成している。なお、本実施形態の底面１２は、圧入方向に直交し、上側を向くように略平面状に形成されている。
【００３５】
内周壁面１４は、圧入方向に平行な壁面として形成され、ナット圧入部８の内周を構成している。ナット圧入部８の内周形状は、ナット７の外周形状の合わせて多角形状に形成されている。より具体的には、図３に示すように圧入方向で見たときに、内周壁面１４が、ナット７の外周形状に合わせて多角形状に形成されている。なお、本実施形態のナット７は四角ナット（又は板ナット）であるため（図１参照）、ナット圧入部８の内周壁面１４は、圧入方向で見て四角形状に形成されている。
【００３６】
圧入リブ１０は、内周壁面１４に一体的に形成されたリブ状の部位である。圧入リブ１０は、内周壁面１４の法線方向に向けて突出するように形成されている。また、圧入リブ１０は、ナット７の圧入方向に沿って（圧入方向と平行に）細長く形成されている。図２及び図５に示すように、圧入リブ１０は、内周壁面１４の上端近傍から、当該内周壁面１４の下端まで、連続的に形成されている。即ち、圧入リブ１０は、内周壁面１４の圧入方向のほぼ全域にわたって形成されている。
【００３７】
図２及び図５に示すように、圧入リブ１０の上端部（圧入方向上流側の端部）は、斜面１５となっている。斜面１５は、内周壁面１４から遠ざかるにつれて底面１２に近づくように、取付面４に対して傾いた面として形成されている。また、図２及び図５に示すように、圧入リブ１０の下端部は、底面１２に接続している。
【００３８】
本実施形態においては、図３に示すように、内周壁面１４を圧入方向で見たときの四角形の４つ「辺」のそれぞれに、２つずつ圧入リブ１０が形成されている。従って、本実施形態のナット圧入部８は、８つの圧入リブ１０を備えている。
【００３９】
接触部１１は、ナット圧入部８に圧入されたナット７に対して、下側から接触する部分である。接触部１１がナット７に対して下から接触している様子を、図７に示す。本実施形態の接触部１１は、圧入方向と直交し、かつ上側を向く平面として構成されている。図２及び図５に示すように、接触部１１は、底面１２よりも上（圧入方向上流側）に配置されている。
【００４０】
図３に示すように、内周壁面１４を圧入方向で見たときの四角形の４つの「隅」に該当する部分それぞれの近傍に、接触部１１が設けられている。また、接触部１１は、互いに独立している。従って、本実施形態のナット圧入部８は、４つの接触部１１を備えている。なお、「接触部１１が互いに独立している」とは、接触部１１同士が、ナット７に対して下から接触しない部分によって分断されていることをいう。例えば本実施形態では、図３に示すように圧入方向で見たときに、各接触部１１同士の間の部分は底面１２となっている。底面１２は、接触部１１よりも下に位置しているので、当該底面１２がナット７に対して下から接触することはない。従って、本実施形態において、内周壁面１４を圧入方向で見たときの四角形の四隅それぞれの近傍に配置された接触部１１は、互いに独立していると言うことができる。
【００４１】
図３に示すように、内周壁面１４を圧入方向で見たときの四角形の「辺」の１つに注目した場合、当該辺の両端部近傍に接触部１１が、当該辺の中央部近傍に２つの圧入リブ１０が、それぞれ配置されている。従って、圧入リブ１０は、２つの接触部１１の間に配置されていると言うこともできる。
【００４２】
図３には、ナット圧入部８に圧入されるナット７を点線で示している。図３に示すように圧入方向で見て、各圧入リブ１０の先端が、ナット７の周壁にオーバーラップするように構成されている。従って、ナット圧入部８にナット７を圧入したときに、当該ナット７の周面に対して圧入リブ１０の先端が接触する。
【００４３】
また、図３に示すように圧入方向で見たときに、接触部１１が、ナット７の四隅にオーバーラップするように構成されている。従って、ナット圧入部８にナット７を圧入したときに、接触部１１が、ナット７の四隅に対して下から接触する。
【００４４】
また、図３には、ナット７のネジ孔１９が点線で示されている。図３に示すように圧入方向で見たときに、圧入リブ１０及び接触部１１は、ネジ孔１９の内側にオーバーラップしないように配置されている。従って、ナット７のネジ孔１９にボルト５を螺入して、当該ボルト５の先端がナット７の下面から突出したときに、当該ボルト５の先端に圧入リブ１０又は接触部１１が干渉することがない。これにより、ナット７に対してボルト５を螺入することができる。
【００４５】
続いて、以上のように構成されたナット圧入部８にナット７を圧入する様子について説明する。
【００４６】
図５に示すように、ナット７を、ナット圧入部８の上側から、当該ナット圧入部８に対して圧入方向（図５の下向き）に挿入する。このとき、ナット７は、圧入リブ１０の上端に形成された斜面１５に接触する。これにより、ナット７が、斜面１５によって案内されるので、当該ナット７がナット圧入部８に対してセンタリングされる。
【００４７】
このようにナット圧入部８に対してセンタリング状態からナット７を圧入方向に押し込むことにより（図６）、当該ナット７の周面を、複数の圧入リブ１０に対して均等に接触させることができる。本実施形態では、圧入方向で見て四角形状の内周壁面１４の各辺に２つの圧入リブ１０が形成されているので、ナット７の外周面に対して、四方から均等に圧入リブ１０が接触する。これにより、圧入方向に直交する平面内でのナット７のガタつきを防止できる。
【００４８】
なお、ナット７が圧入リブ１０に接触しながら圧入されることで、当該圧入リブ１０がナット７によって削られて、削りカス（樹脂屑）２０が発生する（図６参照）。この削りカス２０については後述する。
【００４９】
ナット７を圧入方向に圧入していくと、当該ナット７の下面に対して、接触部１１が下から接触する（図７の状態）。これにより、ナット７が圧入方向で位置決めされるとともに、当該ナット７を接触部１１によって下から支えることができる。これにより、ナット圧入部８に対するナット７の固定が完了する。
【００５０】
なお、取付面４から接触部１１までの圧入方向での距離は、ナット７の厚み（圧入方向での寸法）とほぼ同じとされている。従って、ナット圧入部８にナット７を固定した状態においては、ナット７の上面と、取付面４と、がほぼ同一面となる（図７参照）。
【００５１】
そして、このようにしてナット圧入部８にナット７を固定することにより、ベース体３の取付面４に対してプレート２を取り付けることが可能となる。即ち前述のように、プレート２の挿通孔６にボルト５を挿通させ（図１参照）、当該ボルト５を前記ナット７に螺入する。これにより、プレート２を、ベース体３の取付面４に固定できる（図８の状態）。
【００５２】
図８に示すように、ボルト５の先端は、ナット圧入部８に圧入されているナット７の下面から下に向けて突出することができる。従って、ナット圧入部８のうち、圧入されたナット７よりも下側の空間（圧入方向で接触部１１よりも下流側の空間）は、ボルト５の先端を収容するための空間であると言うこともできる。
【００５３】
続いて、本実施形態の特徴について説明する。
【００５４】
前述のように、ナット圧入部８にナット７を圧入したとき、圧入リブ１０が削れて、削りカス２０が発生する。この削りカス２０が、仮に、ナット７と接触部１１との間に挟まれてしまうと、圧入したナット７が接触部１１から浮いてしまう。この結果、ナット７が取付面４から上に飛び出したり、傾斜したりしてしまう。
【００５５】
そこで本実施形態のベース体３は、各圧入リブ１０の周囲に削りカス２０を逃がす空間を設けたものである。より具体的には、図２及び図３に示すように、各圧入リブ１０の周囲には接触部１１が配置されていない。即ち、圧入方向で見たときに、圧入リブ１０の周囲は、底面１２となっている。
【００５６】
これにより、圧入リブ１０が削れて削りカス２０が発生したとしても、圧入リブ１０の周囲には接触部１１が無いので、前記削りカス２０が接触部１１とナット７の間に挟まることが無い。これにより、ナット７が接触部１１から浮いてしまうことを防止できる。
【００５７】
なお、圧入リブ１０の周囲に削りカス２０を収容する樹脂屑収容凹所を設けた構成は、特許文献１にも記載されている。しかしながら、特許文献１では、圧入リブ１０の周囲にのみ樹脂屑収容凹所を設けているので、当該樹脂屑収容凹所に削りカス２０が入らない場合があり得る。
【００５８】
この点について詳しく説明する。即ち、削りカス２０は、圧入リブ１０の突出方向先端部分が削れて発生するので、図６及び図７に示すように、圧入リブ１０の突出方向（内周壁面１４の法線方向）に向けて飛び出すように形成され易い。また、削りカス２０は、細長い圧入リブ１０が削れて発生するもであるから、図６及び図７に示すように、細長い帯状に形成されることが多い。
【００５９】
このように細長い削りカス２０が圧入リブ１０から飛び出すように発生した場合、当該削りカス２０は、特許文献１の樹脂屑収容凹所には収まりきらない可能性が高い。従って、特許文献１の構成では、樹脂屑収容凹所から削りカスがハミ出してしまうことがあると考えられる。そして、特許文献１の構成では、樹脂屑収容凹所から削りカスがハミ出してしまうと、当該削りカスが、ナットと底面（本実施形態での接触部に対応）の間に挟まって、当該ナットが底面から浮いてしまう。
【００６０】
そこで本実施形態では、上記のような細長い帯状の削りカス２０が発生した場合であっても、当該削りカス２０がナット７と接触部１１の間に挟まることを確実に防止するように工夫している。そこで、この点について更に詳しく説明する。
【００６１】
前述のように、削りカス２０は、圧入リブ１０の突出方向に向けて飛び出すように形成され易い。削りカス２０が飛び出し易いと考えられる領域を、図４にハッチングをかけて符号２１で示す。この符号２１の領域を、削りカス２０が飛び出し易い領域という意味で、「削りカス飛出領域」と呼ぶ。
【００６２】
図４に示すように、圧入方向で見たときに、削りカス飛出領域２１は、圧入リブ１０と同じ幅を有しており、かつ各圧入リブ１０を起点として、前記突出方向に沿って細長く形成され、かつ当該圧入リブ１０に対向する内周壁面１４まで連続性を有する領域となっている。従って、削りカス飛出領域２１は、各圧入リブ１０を、当該圧入リブ１０に対向する内周壁面１４まで、突出方向に沿って仮想的に移動させたときに、当該圧入リブ１０が描く軌跡である、と言える。
【００６３】
前述のように、削りカス飛出領域２１は、削りカス２０が飛び出し易い領域である。従って、仮に、削りカス飛出領域２１に対して圧入方向で重なるように接触部１１が配置されている場合、当該接触部１１の上に削りカス２０が飛び出す可能性が高い。この場合、当該接触部１１とナット７の間に前記削りカス２０が挟まれてしまう可能性が高い。逆に、削りカス飛出領域２１に対して圧入方向で重ならない位置に接触部１１が配置されていれば、当該接触部１１の上に削りカス２０が飛び出す可能性は低い。従ってこの場合、当該接触部１１とナット７の間に前記削りカス２０が挟まれてしまう可能性は低い。
【００６４】
そこで本実施形態では、削りカス飛出領域２１に対して圧入方向で重なる位置には、接触部１１を配置していない。言い換えれば、図４に示すように、圧入方向で見たときに、削りカス飛出領域２１に干渉する位置には、接触部１１が配置されていない。
【００６５】
より具体的には以下のとおりである。即ち、前述のように本実施形態では、内周壁面１４を圧入方向で見たときの四角形の各辺の中央部に圧入リブ１０を形成し、当該四角形の四隅の近傍それぞれに接触部１１を配置している（図３及び図４）。そして、四隅の接触部１１は、互いに独立している。これによれば、削りカス飛出領域２１に対して圧入方向で重ならない位置に、接触部１１を配置できる（図４参照）。
【００６６】
このように、削りカス飛出領域２１に対して圧入方向で重ならない位置に、接触部１１を配置したので、接触部１１の上に削りカス２０が飛び出すことがない。これにより、当該接触部１１とナット７の間に削りカス２０が挟まれてしまうことを防止できるので、ナット７が接触部１１から浮くことを確実に防止できる。
【００６７】
なお、本実施形態では、四隅にのみ接触部１１を配置しているので、特許文献１に比べると、ナット７に対して下から接触できる部分の面積（接触部１１の面積）が小さくなっている。しかしながら本実施形態のように接触部１１を配置すれば、ナット７の四隅をそれぞれ下から支えることができる。これにより、ナット７をバランス良く支えることができるので、当該ナット７が不安定になることがない。このように、本実施形態の接触部１１は、ナット７に接触する面積が比較的小さいにもかかわらず、ナット７を安定して支えることができる。
【００６８】
ここで、圧入リブ１０の上端から接触部１１までの圧入方向での距離をＬ１とし、接触部１１から底面１２までの圧入方向での距離をＬ２とする（図５参照）。圧入リブ１０のうち、ナット７によって削られ得るのは、図５にＬ１で示した範囲のみである。従って、圧入リブ１０が削れて発生する細長い帯状の削りカス２０の長さは、Ｌ１より長くなることはないと考えられる。
【００６９】
そこで本実施形態では、接触部１１から底面１２までの圧入方向での距離Ｌ２を、圧入リブ１０の上端から接触部１１までの圧入方向での距離Ｌ１よりも長くしている。これによれば、細長く形成された削りカス２０が図７のように垂れ下がったとしても、当該削りカス２０の先端が底面１２に接することがない。これにより、当該削りカス２０の先端が底面１２に接触して異音が発生したりすることを防止できる。
【００７０】
ところで、削りカス２０は、圧入リブ１０の上側から下側に向けて削れて発生するので、仮に当該圧入リブ１０が下端部まで削れてしまうと、当該下端部から削りカス２０が千切れて分離してしまう。仮に圧入リブ１０から削りカス２０が分離した場合、当該削りカス２０がナット圧入部８内に散乱し、異音等の原因になる。
【００７１】
そこで本実施形態では前述のように、圧入リブ１０を、内周壁面１４の上端から、当該内周壁面１４の下端まで、連続的に形成している。そして、圧入リブ１０の下端部は、底面１２に接続している。本実施形態のナット圧入部８において、ナット７は底面１２まで到達することはないから、圧入リブ１０が下端部まで削れてしまうことはない。これにより、削りカス２０が途中で千切れにくく、圧入リブ１０から分離しにくくなっている。即ち、図７等に示すように、ナット７を最後まで圧入したときにおいても、削りカス２０は、圧入リブ１０に繋がったままの状態を維持し易い。これにより、削りカス２０がナット圧入部８内に散乱することがないので、異音の発生等を防止できる。
【００７２】
なお、仮に、圧入リブ１０が圧入方向で不連続に形成されている場合は、当該圧入リブ１０を成形するのが難しくなる。本実施形態では上記のように、圧入リブ１０が底面１２まで連続的に形成されているので、当該圧入リブ１０を成形するのに格別の困難はない。また、圧入リブ１０の下端部が底面１２に接続しているので、当該圧入リブ１０の強度を十分に確保できる。
【００７３】
以上で説明したように、本実施形態のベース体３は、ナット７が圧入方向で圧入されるナット圧入部８を有している。ナット圧入部８は、底面１２と、内周壁面１４と、圧入リブ１０と、接触部１１と、を備えている。底面１２は、圧入方向に対向する。内周壁面１４は、圧入方向と略平行である。圧入リブ１０は、内周壁面１４から突出し、かつ圧入方向に沿って細長く形成され、圧入されたナット７の周面に接触する。接触部１１は、底面１２よりも上に配置され、圧入されたナット７に対して下側から接触する。そして、削りカス飛出領域２１に対して圧入方向で重なる位置には、接触部１１が配置されていない。
【００７４】
即ち、圧入リブ１０が削れて発生する削りカス２０は、圧入リブ１０の突出方向に向けて飛び出すように発生し易い。そこで、この領域には接触部１１を配置しないようにすることで、当該接触部１１とナット７との間に削りカス２０が挟まれてしまうことを防止できる。
【００７５】
また、上記で説明したように、本実施形態のベース体３において、ナット圧入部８の内周形状は、ナット７の外周形状に合わせて四角形状に形成されている。当該四角形の辺の中央部近傍に圧入リブ１０が形成されている。そして、当該四角形の隅部の近傍に接触部１１が配置されている。
【００７６】
接触部１１を隅部の近傍に配置することにより、圧入されたナット７の隅部を下から支えることができるので、当該ナット７を安定して支えることができる。
【００７７】
また、上記で説明したように、本実施形態のベース体３において、接触部１１は、前記四角形の四隅の近傍にそれぞれ配置されている。
【００７８】
このように、接触部１１を四隅に配置することで、ナット７の四隅を下から支えることができる。これにより、ナット７を安定して支えることができる。
【００７９】
また、見方を変えれば、上記実施形態のベース体は、以下のように説明することもできる。即ち、本実施形態のベース体３は、ナット７が圧入方向で圧入されるナット圧入部８を有している。ナット圧入部８は、底面１２と、内周壁面１４と、圧入リブ１０と、接触部１１と、を備えている。底面１２は、圧入方向に対向する。内周壁面１４は、圧入方向と略平行である。圧入リブ１０は、内周壁面１４から突出し、かつ圧入方向に沿って細長く形成され、圧入されたナット７の周面に接触する。接触部１１は、底面１２よりも上に配置され、圧入されたナット７に対して下側から接触する。ナット圧入部８の内周形状は、ナット７の外周形状に合わせて四角形状に形成されている。当該四角形の各辺の中央部近傍に、圧入リブ１０が形成されている。そして、前記四角形の四隅の近傍に、接触部１１が互いに独立して配置されている。
【００８０】
このように構成すれば、圧入リブ１０の周囲を避けて接触部１１を配置できる。これにより、圧入リブ１０が削れて発生する削りカスが２０、接触部１１とナット７との間に挟まれてしまうことを防止できる。また、接触部１１を上記のように配置したので、ナット７の四隅に対して接触部１１が下から接触できる。これにより、当該ナット７を安定して支えることができる。
【００８１】
また、上記で説明したように、本実施形態のベース体３は、以下のように構成されている。即ち、圧入方向において、接触部１１から底面１２までの距離Ｌ２は、圧入リブ１０の上端部から接触部１１までの距離Ｌ１よりも長い。
【００８２】
これによれば、圧入リブ１０が削れて発生した削りカス２０が帯状になって垂れ下がったとしても、当該削りカス２０の先端が底面１２に接触することがない。
【００８３】
また、上記で説明したように、本実施形態のベース体３は、以下のように構成されている。即ち、圧入リブ１０は、圧入方向で連続的に形成されている。そして、圧入リブ１０の下端部は、底面１２に接続している。
【００８４】
このように、圧入リブ１０を底面１２まで連続的に形成することにより、削りカス２０が途中で千切れて圧入リブ１０から分離してしまうことを防止できる。また、圧入リブ１０を底面１２に接続することで、当該圧入リブ１０の強度を確保できる。
【００８５】
また、上記で説明したように、本実施形態の電気接続箱１は、上記のベース体３を備えている。
【００８６】
この電気接続箱１は、ベース体３に対してナット７を確実に固定できる。従って、当該ベース体３に対してプレート２を確実に取り付けることができる。これにより、電気接続箱１の信頼性を高めることができる。
【００８７】
以上に本発明の好適な実施の形態を説明したが、上記の構成は例えば以下のように変更することができる。
【００８８】
本願発明のベース体は、電気接続箱に限らず、ナット７を圧入して固定する必要がある構成に広く採用できる。例えば、本実施形態のベース体は、電動機において、外部のバッテリーと接続するための端子を保持する端子台に採用することもできる。
【００８９】
上記実施形態において、底面１２は、圧入方向に対して直交する平面であるとしたが、これに限らない。底面１２は、圧入方向に対して対向しており、かつ接触部１１よりも下（即ち、ナットに対して接触しない位置）に位置していれば良く、必ずしも圧入方向に対して厳密に直交する平面である必要はない。従って、底面１２は、圧入方向に対して傾斜していても良いし、当該底面に凹凸や孔などが形成されていても、本願発明の効果には影響しない。
【００９０】
上記実施形態では、内周壁面１４を圧入方向で見たときの四角形の４つの辺それぞれに２つずつ圧入リブ１０が形成されているが、各辺に形成する圧入リブの数は１つでも良いし、３つ以上でも良い。また、必ずしも各辺に圧入リブ１０が形成されている必要はなく、内周壁面１４を圧入方向で見たときの四角形の４辺のうち少なくとも何れか１つに圧入リブ１０が形成されていれば、ナット７を固定することは可能である。また、圧入リブ１０を形成する位置は、必ずしも各辺の中央部近傍には限定されず、適宜の位置に形成することができる。
【００９１】
上記実施形態では、ナット７を四角形としたが、これに限定されず、多角形状のナット（例えば六角ナット）を圧入して固定するための構成にも本願発明の構成を応用できる。なお、ナット７が線対称の形状である場合（例えば、正方形、等脚台形、長方形、正六角形等の場合）、圧入リブ１０は、ナット７の対称軸に関して互いに線対称となるように接触部１１の間に配置されても良い。
【００９２】
上記実施形態では、四角形状のナット圧入部８の四隅それぞれの近傍に接触部１１を設けるものとしたが、これに限らず、四隅のうちの少なくもと２つの隅に接触部１１が形成されていればナット７を安定して支えることができる。五角形以上の多角形のナット（例えば六角ナット）を圧入する場合、ナット圧入部８も五角形以上（例えば六角形）になるが、この場合も各隅の近傍に接触部１１を設けることができる。なお、ナット圧入部８が五角形以上の場合は、少なくとも３つの隅に接触部１１が形成されていることが好ましい。
【００９３】
上記実施形態では、接触部１１は、ナット圧入部８の隅に形成されているものとしたが、接触部１１の配置位置は必ずしもこれに限定されない。ナット圧入方向で見たときに、図４に示す削りカス飛出領域２１に干渉しない位置であれば、接触部１１を配置することができる。
【００９４】
なお、前述のように、圧入リブ１０を形成する位置は適宜変更可能であり、図４とは異なる位置に形成できる。圧入リブ１０を図４とは異なる位置に形成した場合、削りカス飛出領域２１も図４とは異なる配置となる。この場合、接触部１１を配置可能な位置も、図４とは異なる。結局のところ、接触部１１の配置は、圧入リブ１０が形成される位置との関係で決めるべきものであり、上記実施形態の配置方法には限定されない。
【００９５】
上記実施形態では、圧入リブ１０の上端は斜面１５としたが、これに限らず、斜面１５を省略しても良い。また、図９に示すように、圧入リブ全体を斜面状（テーパ状）としても良い。
【符号の説明】
【００９６】
３  ベース体
７  ナット
８  ナット圧入部
１０  圧入リブ
１１  接触部
１２  底面
１４  内周壁面
２０  削りカス
２１  削りカス発生領域
【図１】
2015146096.tif 000003
【図２】
2015146096.tif 000004
【図３】
2015146096.tif 000005
【図４】
2015146096.tif 000006
【図５】
2015146096.tif 000007
【図６】
2015146096.tif 000008
【図７】
2015146096.tif 000009
【図８】
2015146096.tif 000010
【図９】
2015146096.tif 000011
【国際調査報告】
2015146096.tif 000012
2015146096.tif 000013